(57)【要約】  無線ネットワークで移動局のランクアダプテーションを実行するために、移動局が高速移動しているか否かが決定される。移動局が高速移動していると決定したことに応じて、移動局と基地局と間の無線通信を実行するために、開ループ・マルチアンテナモードが選択される。また、選択は、移動局と基地局との間の開ループ・マルチアンテナモードに従った無線通信のために、複数のランクの中から実行される。
2011504308.tif 000002
【特許請求の範囲】
【請求項１】
無線ネットワークで移動局のランクアダプテーションを基地局により実行する方法であって、
使用されるランクの指標を前記移動局から前記基地局により受信し、使用される前記ランクは、前記移動局の速度に基づき、
前記移動局の速度が所定の閾値の上であると決定したことに応じて、前記移動局と前記基地局との間で無線通信を実行するために開ループ・マルチアンテナモードを選択し、
前記移動局と前記基地局との間で前記開ループ・マルチアンテナモードに従った前記無線通信のために、複数のランクの中から少なくとも１つの基準に基づいて選択し、前記選択されたランクは、前記指標により示されて使用される前記ランクを上書きする方法。
【請求項２】
前記速度を決定することは、前記移動局及び基地局のうち１つにより実行される、請求項１に記載の方法。
【請求項３】
使用される前記ランクの指標を受信することは、無線チャネル品質の報告に関連して使用される前記ランクの指標を受信することを有する、請求項１に記載の方法。
【請求項４】
前記複数のランクの中から選択することは、少なくとも送信ダイバーシチを利用する第１のランクと空間多重を利用する第２のランクとの中から選択することを有する、請求項１に記載の方法。
【請求項５】
閉ループ・マルチアンテナモードに従った無線通信でデータを符号化するために使用するコードワードの識別子を前記移動局から受信することを更に有する、請求項１に記載の方法。
【請求項６】
前記開ループ・マルチアンテナモードで、前記無線通信のデータを符号化するために所定のコードワード又はコードワードシーケンスを使用することを更に有する、請求項１に記載の方法。
【請求項７】
前記所定のコードワードは、前記閉ループ・マルチアンテナ送信モードに使用されるコードブックの所定のコードワードである、請求項６に記載の方法。
【請求項８】
前記複数のランクの中から前記少なくとも１つの基準に基づいて選択することは、
前記移動局が各ランクを選択した対応する回数をカウントし、
前記回数を比較し、前記複数のランクの中から選択することを有する、請求項１に記載の方法。
【請求項９】
前記複数のランクの中から選択することは、所定の時間ウィンドウに前記移動局が最も選択したランクを選択することを有する、請求項８に記載の方法。
【請求項１０】
前記開ループ・マルチアンテナモードに従った前記無線通信のために前記複数のランクの中から選択することは、ランク１より大きいランクを選択することを有し、
前記方法は、選択されたランクが１より大きいときに、巡回遅延ダイバーシチを使用することを更に有する、請求項１に記載の方法。
【請求項１１】
閉ループ・マルチアンテナモードと前記開ループ・マルチアンテナモードとの間を切り替えることを更に有する、請求項１に記載の方法。
【請求項１２】
移動局と無線通信を実行するインタフェースと、プロセッサとを有する基地局であって、
前記プロセッサは、
前記移動局が高速の移動局であるか否かを決定し、
前記移動局が高速の移動局であると決定したことに応じて、下りリンクデータを符号化するために使用されるコードワードの識別子を含む前記移動局からのフィードバックを含まない前記移動局に送信される下りリンクデータのために、通信のマルチアンテナモードを選択し、
前記通信のマルチアンテナモードに従った下りリンクデータの通信のために、複数のランクの中から選択するランクアダプテーションを適用し、
前記適用されるランクアダプテーションは、前記移動局により選択されたランクを上書きする基地局。
【請求項１３】
前記選択されたマルチアンテナモードは、開ループ・マルチアンテナモードを有する、請求項１２に記載の基地局。
【請求項１４】
前記プロセッサは、前記開ループ・マルチアンテナモードで前記下りリンクデータに固定のコードワードを適用する、請求項１３に記載の基地局。
【請求項１５】
前記プロセッサは、前記移動局が高速の移動局でないと決定したことに応じて、閉ループ・マルチアンテナモードを選択する、請求項１３に記載の基地局。
【請求項１６】
前記開ループ・マルチアンテナモード又は閉ループ・マルチアンテナモードの選択を伝達する高レイヤのソフトウェアを更に有する、請求項１５に記載の基地局。
【発明の詳細な説明】
【技術分野】
【０００１】
概して、本発明は、移動局と基地局との間の無線通信の開ループ・マルチアンテナモード用のランクアダプテーションに関する。
【背景技術】
【０００２】
移動局が他の移動局又は有線ネットワークに結合された有線端末との通信を実行可能にするために、様々な無線アクセス技術が提案又は実装されている。無線アクセス技術の例は、3GPP（Third  Generation  Partnership  Project）により規定されているGSM（Global  System  for  Mobile  communications）及びUMTS（Universal  Mobile  Telecommunications  System）技術と、3GPP2により規定されているCDMA2000（Code  Division  Multiple  Access  2000）技術とを含む。
【０００３】
スペクトル効率を改善するため、サービスを改善するため、コストを低下させるため等の無線アクセス技術の継続的な発展の一部として、新しい標準が提案されている。１つのこのような新しい標準は、3GPPからのLTE（Long  Term  Evolution）標準であり、これは、UMTS無線ネットワークを拡張することを目的とする。
【０００４】
LTEによれば、ランクアダプテーションは、移動局から基地局にフィードバックされる情報を使用したチャネル依存のプリコーディング（閉ループ）MIMO（multiple  input  multiple  output）無線伝送用に提供されている。MIMOは、送信側及び／又は受信側で複数のアンテナを使用することを示す。ランクアダプテーションは、移動局と基地局との間の無線通信のために、複数のランク（ランク1及びランク2等）の中から選択することを示す。“ランク1”は、基地局と移動局との間でデータを通信する無線チャネルに単一のレイヤのみを使用することを示す。このような単一レイヤの通信では、信号電力が受信機の入力で最大化されるように、適切な位相（及び場合によっては利得）符号化で同じ信号が各送信アンテナから放射される（これにより、冗長性が提供される）。“ランク2”は、基地局と移動局との間でデータを通信するために使用される特定の無線チャネルがセルセクタの複数のパスを通じた複数の空間ビームを利用した２つのレイヤを使用することができることを示す。ランク2の通信では、独立のデータが複数のビームで送信され、移動局と基地局との間の無線通信のデータのスループットを増加させることができる。他のランク（ランク4等）も可能である。
【０００５】
チャネル依存のプリコーディング（閉ループMIMO）の一部として移動局により基地局にフィードバックされる情報は、基地局から移動局に下りリンク無線チャネルで送信されるデータを符号化するために使用されるコードワードを識別するインデックスを含む。このようなインデックスは、LTEでは、プリコーディングマトリクスインデックス（PMI：precoding  matrix  index）と呼ばれる。異なるコードワードを選択するために異なるインデックスが使用される。フィードバック情報はまた、移動局により決定されて使用されるランクを含む。このようなランク情報のフィードバックは、ランクアダプテーションを可能にし、複数のランクのうち１つが無線通信に選択可能になる。基地局により送信される下りリンクデータに適用されるプリコーディング（ランク及びコードワード）は、ランク及びPMI情報から決定される。移動局からのフィードバック情報に基づいてプリコーディング（ランクアダプテーションを含む）を適用することにより、セル又はセルセクタ内の無線データ通信のスループット及び信頼性が改善し得る。
【発明の概要】
【発明が解決しようとする課題】
【０００６】
しかし、閉ループMIMO伝送用の通常のプリコーディングは、プリコーディングが基地局により適用されたときに、移動局により基地局にフィードバックされた情報（特にPMI情報）が古くなっていないような、比較的低速移動している移動局のみに有効である。移動局の速度が増加すると、閉ループMIMO伝送に使用されるプリコーディングは、有利でない可能性がある。
【課題を解決するための手段】
【０００７】
概して、一実施例によれば、無線ネットワークで移動局のランクアダプテーションを実行する方法は、移動局が高速移動しているか否かを決定することを含む。移動局が高速移動していると決定したことに応じて、移動局と基地局と間の無線通信を実行するために、開ループ・マルチアンテナモードが選択される。選択は、移動局と基地局との間の開ループ・マルチアンテナモードに従った無線通信のために、複数のランクの中から実行される。
【図面の簡単な説明】
【０００８】
【図１】実施例による開ループ・マルチアンテナモードに従って無線通信用のランクアダプテーションを利用する無線ネットワークを含む通信ネットワークのブロック図
【図２】実施例による移動局の検出された無線チャネル品質及び速度に基づいて選択的に使用されるマルチアンテナモードを示すグラフ
【図３】或る実施例による開ループ・マルチアンテナモードのランクアダプテーションを実行する処理のフローチャート
【図４】或る実施例による開ループ・マルチアンテナモードのランクアダプテーションを実行する処理のフローチャート
【発明を実施するための形態】
【０００９】
他の特徴及び代替の特徴は、以下の詳細な説明、図面及び特許請求の範囲から明らかになる。
【００１０】
以下の説明では、或る実施例の理解を提供するために、複数の詳細が示されている。しかし、或る実施例は、これらの詳細なしに実施されてもよく、記載の実施例から複数の変更又は変形が可能であることが、当業者にわかる。
【００１１】
本発明の或る実施例を組み込んだ無線ネットワークでは、様々なマルチアンテナモードが、物理下りリンク共有チャネル（PDSCH：physical  downlink  shared  channel）又は他の種類のデータチャネルのような下りリンク無線チャネル（基地局から移動局へ）でサポート可能である。PDSCHチャネルは、3GPP（Third  Generation  Partnership  Project）により規定されたLTE（Long  Term  Evolution）無線ネットワークで存在するチャネルである。3GPP  LTE技術は、3GPPにより公開されているUMTS（Universal  Mobile  Telecommunications  System）技術の進展である。或る実施例ではLTE技術への言及が行われるが、これらの技術はまた、3GPP2により規定されているCDMA2000（Code  Division  Multiple  Access  2000）技術のような他の無線技術又は他の無線アクセス技術にも適用可能である点に留意すべきである。また、確保している説明は、下りリンク通信に適用される技術を対象とするが、本発明の或る実施例はまた、上りリンク通信にも適用可能である点に留意すべきである。
【００１２】
マルチアンテナモードはMIMO（multiple  input  multiple  output）モードでもよく、MIMOモードでは、複数の送信アンテナが送信機で使用され、複数の受信アンテナが受信機で使用される。或る実施例では、無線ネットワークによりサポート可能な様々なマルチアンテナモードは、閉ループMIMOモードと開ループMIMOモードとを含む。閉ループMIMOモードは、ランク情報とコードワードへのインデックスと他の情報（例えば、チャネル品質インジケータ又はCQIのような無線チャネル品質の指標）とを含む移動局からのフィードバック情報から決定されたプリコーディングを使用して、下りリンクデータがプリコーディングされるMIMOモードを示す。インデックス（又は他の種類の識別子）により、基地局は、下りリンクデータを符号化するために、複数の可能なコードワードの中から選択することが可能になる。
【００１３】
開ループMIMOモードでは、下りリンクデータを符号化するために、（閉ループMIMOで使用される可変コードワードではなく）固定（又は所定）のコードワードが使用される。その結果、基地局は、固定（又は所定）のコードワードを下りリンクデータに適用する。開ループMIMOモードでは、移動局からのPMIのフィードバックは必要ない。代替として、固定又は所定のコードワードを使用する代わりに、所定のコードワードシーケンスが使用されてもよい。
【００１４】
或る実施例によれば、移動局の速度が検出されてもよく、マルチアンテナモードは、移動局の速度に基づいて選択されてもよい。移動局の速度が比較的低速である場合、閉ループMIMOモードが利用されてもよい。この場合、チャネルの変動が追跡（トラッキング）されてもよく、移動局は、下りリンクデータを符号化するために使用されるコードワードを選択することができる。選択されたコードワードは、選択されたコードワードへのインデックス（又は他の識別子）の形式で、基地局にフィードバックされる。移動局により検出可能なチャネルの変動は、移動局の位置と、移動局の基地局からの距離に基づくパスロスと、基地局の周辺の障害物により生じるシャドウィングと、他の要因とに基づくチャネル状態の変化を含む。
【００１５】
コードワードは、データを符号化するために選択的に使用され得る対応するコードワードを含む複数のエントリを含むコードブックから選択されてもよい。或る例示的な実装では、コードブックは、マトリクスとして構成されてもよい。マトリクスは、コードブックインデックスに対応する行と、ランクに対応する列とを有してもよい。従って、コードブックの複数のコードワードはランク1に対応し、コードブックの他のコードワードはランク2に対応する。コードブックはまた、他のランクに対応するエントリを含んでもよい。前述のように、閉ループMIMO通信では、ランク情報及びインデックス（LTEではプリコーディングマトリクスインデックス又はPMIと呼ばれる）は、移動局から基地局にフィードバックされてもよい。このことにより、基地局は、下りリンク通信（基地局から移動局へ）に適用するコードワードを選択可能になる。
【００１６】
低速移動の移動局では、基地局はまた、局所的なチャネル割り当てを実行し、連続する物理リソースブロック（RB：resource  block）が所与の移動局に割り当てられる。物理リソースブロックは、時間ドメインでの所定数の連続するシンボルと、周波数ドメインでの複数の連続するサブキャリアとを示す。
【００１７】
しかし、閉ループMIMO（チャネル依存のプリコーディング）の有効性は、高速の移動局を含む場合に損なわれる。“高速の移動局”又は“高速移動の移動局”は、毎時30キロメートル（km/h）より大きいような、或る所定の閾値より大きい速度で移動している移動局である。閉ループMIMOの有効性は、移動局が高速移動しているときに損なわれる。この理由は、移動局により提供されるフィードバック（PMIを含む）が比較的早く陳腐化される可能性があり、これにより、移動局からのフィードバックに従って基地局により行われた何らかの決定が最適な結果を提供しない可能性があるからである。また、高速移動の移動局では、通常では分散型又はダイバーシチのチャネル割り当てが使用され、所与の移動局に割り当てられるリソースブロックが連続的である必要はなく、周波数帯域の異なる部分からのものでもよい。帯域の異なる部分のランクは異なるため、高速移動の移動局についての閉ループMIMOは、この更なる理由のため有効ではない。
【００１８】
その結果、或る実施例によれば、高速の移動局では、基地局から移動局に送信される下りリンクデータの符号化を実行するために、固定（又は所定）のコードワードが使用される。固定（又は所定）のプリコーディングの使用は、高速の移動局に下りリンクデータを送信するために使用される開ループMIMOモードの一部である。
【００１９】
固定（又は所定）のプリコーディングを使用することに加えて、ランクアダプテーションもまた、或る実施例に従って通信スループット及び信頼性を向上させるために、開ループMIMOモードに使用されてもよい。例えば、或る実施例では、開ループMIMOモードでは、ランク1又はランク2が無線チャネル状態に基づいて選択されてもよい。例えば、ランクアダプテーションは、長期のSINR（signal-to-interference-plus-noise  ratio）に基づいてもよい。“長期”のSINRは、現在測定されたSINRと前に測定されたSINRとの何らかの集約を示す。集約は平均でもよく、代替として、何らかの他の集約（例えば、中心値、合計値等）でもよい。他の実施例では、無線チャネル品質の指標を提供するためにSINRを使用する代わりに、何らかの他の種類のパラメータが使用されてもよい。
【００２０】
基本的には、（所定の基準又は他に確立された基準に比べて）“悪い”チャネル状態は、ランク1通信が使用されることを示し、（このような基準に比べて）“良い”品質のチャネル状態は、ランク2通信が使用可能であることを示す。或る実装では、ランク1方式は、同じ情報（冗長な情報）が異なるパス（空間ビーム）で移動局に送信され、移動局が下りリンクデータを受信する可能性を増加させる送信ダイバーシチ方式である。例えば、送信ダイバーシチフォーマットは、空間周波数ブロック符号化（SFBC：spatial  frequency  block  coding）フォーマットでもよい。
【００２１】
ランク2通信は、送信機の２つのアンテナが移動局の対応するアンテナにより受信される独立の下りリンクデータを送信するために使用される空間多重を提供する。従って、或る実施例によれば、高速移動（高い速度）の移動局では、動的ランクアダプテーションが開ループ・マルチアンテナモードで提供され、これにより、スループットとカバレッジ（受信領域）利得との双方を増加させるために、ランク1通信又はランク2通信が利用され得る。他の実施例では、更なるランクがサポートされてもよい。
【００２２】
従って、或る実施例によれば、低速移動の移動局では、ランクアダプテーションでチャネル依存のプリコーディング（閉ループMIMO）に基づくコードブックが使用されてもよい。高速移動の移動局では、ランクアダプテーションで開ループMIMOモードが使用されてもよい。この場合、選択されるランクは無線チャネル状態に基づく。
【００２３】
図１は、本発明の或る実施例が提供され得る例示的な無線ネットワークを示している。無線ネットワークは、対応するセルセクタ108で複数のパス104、106（空間ビーム）を通じて無線信号を送信するアンテナアレイ又は他のアセンブリ（マルチビームアンテナ）102を含む基地局100を含む。セルセクタは、セルラネットワークのセルの１つの部分である。２つのパス102及び106のみが図１に示されているが、他の実施例では、２つより多くのパスがセルセクタに提供されてもよい点に留意すべきである。無線周波数（RF：radio  frequency）リソース（例えば、周波数、タイムスロット等）は、マルチビームアンテナを使用して異なるパスを通じて無線信号を送信することにより、セルセクタの異なる地理的領域で再利用されてもよい。移動局110は、セルセクタの移動局110の位置に応じて、セルセクタ108の１つ以上のパス104、106を使用して通信してもよい。
【００２４】
代替の実装では、セルセクタで複数のビームを提供するのではなく、複数のビームがセルで提供されてもよい点に留意すべきである。ここで使用される“セルセグメント”という用語は、セルセクタ又はセルを示してもよい。
【００２５】
１つのみの基地局が図１に示されているが、典型的には、無線ネットワークは複数の基地局を含む点に留意すべきである。或る実装では、無線ネットワークは、LTE無線ネットワークである。代替の実装では、他の種類の無線ネットワークが使用されてもよい。“LTE無線ネットワーク”への言及は、3GPPにより作られた仕様の要件に準拠する無線ネットワークを示し、また、その仕様は時間と共に変更又は進展するため、LTEから進展した次の標準に準拠する無線ネットワークも示す。更に、確保している説明では、LTE無線ネットワークへの言及が行われるが、好ましい実施例による技術はまた、非LTE無線ネットワークに適用されてもよい。非LTE無線ネットワークでは、“基地局”という用語は、移動局にデータを送信すること又は移動局からデータを受信することができる如何なる送信機を示してもよい。より一般的には、“基地局”という用語は、セルラネットワークの基地局、何らかの種類の無線ネットワークで使用されるアクセスポイント、又は移動局と通信する何らかの種類の送信機を示してもよい。
【００２６】
LTE無線ネットワークでは、基地局100は“eNode  B”（enhanced  node  B）を含む。eNode  Bは、アンテナアレイ102を含む基地送受信局を含む。基地局100はまた、eNode  Bと協働する無線ネットワークコントローラを含む。無線ネットワークコントローラ及び／又はeNode  Bは、１つ以上の次のタスク：無線リソース管理、移動局のモビリティを管理するモビリティ管理、トラヒックのルーティング等を実行する。１つの無線ネットワークコントローラは、複数のeNode  Bにアクセスしてもよく、代替として、eNode  Bは、１つより多くの無線アクセスコントローラによりアクセスされてもよい点に留意すべきである。
【００２７】
図１に示すように、基地局100は、記憶装置124に接続された１つ以上の中央処理装置（CPU）122を含む。更に、基地局は、LTE無線ネットワークでSDMAのサポートを可能にするための好ましい実施例によるタスクを含み、基地局100のタスクを実行するためにCPU122で実行可能なソフトウェア126を含む。
【００２８】
図１の移動局110はまた、記憶装置132に接続された１つ以上のCPU130を含む。移動局110はまた、移動局110のタスクを実行するためにCPU130で実行可能なソフトウェア134を含む。
【００２９】
基地局100は、サービング及び／又はパケットデータネットワーク（PDN：packet  data  network）ゲートウェイ112に接続される。サービング及び／又はパケットデータネットワーク・ゲートウェイ112は、eNode  Bへのユーザプレーンインタフェースを終端し、外部ネットワーク114へのパケットルーティング及び転送の役目を想定する。外部ネットワーク114は、インターネット又は他の種類のネットワークのようなパケットデータネットワークでもよい。
【００３０】
図１に示す構成は、例示目的で提供されている。他の実装では、他の無線ネットワーク構成が使用される。
【００３１】
図２は、移動局の速度（グラフの縦軸）と長期のSINR（グラフの横軸）とに応じて使用される異なるマルチアンテナモードを示す例示的なグラフを示している。移動しない移動局及び低速の移動局（ここでは併せて“低速の移動局”と呼ばれる）では、チャネル依存のプリコーディング（閉ループMIMO）が使用される（202で示す）。これに対して、高速の移動局では、固定（又は所定）のプリコーディングが動的ランクアダプテーションと組み合わせて使用される。長期のSINRが比較的低い場合にランク1が使用され（図２のブロック204）、長期のSINRが比較的高い場合にランク2が使用される（ブロック206）。長期のSINRに閾値が規定されてもよい。長期のSINRが閾値の下である場合に、ランク1が使用され、長期のSINRが閾値の上である場合に、ランク2が使用される。
【００３２】
図３は、実施例に従って実行される手順を示している。基地局は、移動局の速度を測定する（302）。測定された速度は、おおよその速度でもよく、例えば、移動局から基地局に上りリンクで送信されたランダムアクセスチャネル（RACH：random  access  channel）、移動局からのサウンディングリファレンス信号（SRS：sounding  reference  signal）、又は他の上りリンク送信を監視することに基づいてもよい。RACHは、呼又は他の通信セッションを確立するために移動局により送信される。サウンディングリファレンス信号は、移動局がどのビーム（パス）を上りリンクデータに使用しているかを基地局が決定することを可能にするために移動局により送信されるリファレンス信号である。GPS又は他の位置決定データもまた、移動局の速度を決定するために使用されてもよい。移動局からの信号は、移動局の速度を概算で決定するために監視される。
【００３３】
測定された速度に基づいて、基地局は、移動局を“高速”又は“低速”の移動局として分類する（304）。次に、基地局は、移動局タイプ（高速又は低速）を移動局に伝達する。移動局タイプを通信するために送信されるシグナリングは、レベル3（又は更に高いレベル）のシグナリングのような高レイヤのシグナリングでもよい。移動局の速度を測定するために高レイヤのプロトコル（ソフトウェア）を使用することは、或る実装では移動局の速度の測定処理が数百ミリ秒のオーダの時間を要する可能性があるため、効率的になり得る。
【００３４】
基地局から受信した移動局タイプに従って、移動局は、SINRを測定する（308）。或る実施例では、SINRは、チャネル品質インジケータ（CQI：channel  quality  indicator）の形式で報告されてもよい。CQI情報は、移動局により検出された特定のチャネルを通じて送信される無線シグナリングの品質に関する情報を提供する。高速の移動局では、測定されたCQIは、送信ダイバーシチ及び固定又は所定のコードワードに対応するCQIである。固定又は所定のコードワードは、閉ループMIMOモードに規定されたコードブックの所定のコードワードでもよい。低速の移動局では、測定されたCQIは、コードブックのコードワードに対応するCQIである。
【００３５】
次に、移動局は、最大のSINRのMIMOモードを選択する（310）。閉ループMIMOが選択された場合、ランク及びコードブックインデックス（例えば、PMI）も導かれ、閉ループMIMOに関連付けられる。開ループMIMOモードが選択された場合、ランクが選択されるが、コードワードは固定である（例えば、コードブックインデックスは予め規定される）。或る実装では、開ループMIMOモードと閉ループMIMOモードとの間の選択は、移動局の速度の指標をも測定又は受信する高レイヤのソフトウェア（レベル3以上）により伝達されてもよい点に留意すべきである。
【００３６】
次に、移動局は、SINR情報と共にランクインジケータを含むフィードバックメッセージを基地局に送信する（312）。312におけるフィードバック情報の送信は、周期的（又は非周期的）に実行されてもよい。第１の技術によれば、SINR情報は、移動局により基地局に周期的（又は非周期的）に送信されるCQI報告の形式で提供される。この第１の技術では、ランクインジケータは、各CQI報告で送信されてもよい。代替として、第２の技術によれば、ランクインジケータは、第NのCQI報告毎に送信されてもよい。ただし、N>1（Nは設定可能な値である）である。ランクインジケータは、CQI報告への追加ビットとして追加されてもよく、又は代替として、ランクインジケータは、CQI報告の既存のビットと置換されてもよい（CQI報告のパンクチャリングと呼ばれる処理）。
【００３７】
ランクインジケータを送信する頻度は、ランクアダプテーション間隔を規定する。ランクインジケータをより頻繁に送信することは、ランクアダプテーション間隔が短くなることを意味する（ランクがより頻繁に動的に変更されることを意味する）。
【００３８】
ランクインジケータ及び受信したSINRに応じて、基地局は、移動局への下りリンクデータ送信をスケジューリングする（314）。基地局は、移動局の速度とランクのフィードバックとに基づいて使用されるマルチアンテナモードを決定する。基地局は、移動局により選択されたランク（移動局から受信したランクインジケータで報告されたランク）を上書きしてもよい。基地局により選択されたモードは、閉ループMIMOモードでもよく、ランクアダプテーションの開ループMIMOモードでもよい。
【００３９】
基地局はまた、移動局カテゴリに基づいて割り当てられるチャネルタイプを決定する。割り当てられるチャネルタイプは、分散型若しくはダイバーシチのチャネル割り当て（高速の移動局用）、又は局所的なチャネル割り当て（低速の移動局用）である。下りリンク送信の閉ループMIMOモードと開ループMIMOモードとの間の切り替えは、チャネルタイプに関連してもよい。
【００４０】
次に、基地局は、選択されたMIMOモードを移動局に伝達する（316）。伝達されるMIMOモードは、ランク情報（開ループMIMO用）、又はランク及びコードブックインデックス情報（閉ループMIMO用）を含んでもよい。316において、他の情報も基地局から移動局に送信されてもよい。
【００４１】
或る実装では、２つの下りリンクシグナリングチャネルがMIMOモードを提供するために使用されてもよい。例えば、第１のシグナリングチャネルは、閉ループMIMOが使用されるか開ループMIMOが使用されるかを示してもよい。閉ループMIMOが使用される場合、ランク及びコードブックインデックスを示すために第２のシグナリングチャネルが使用される。或る実施例では、開ループMIMOが使用される場合、ランク（送信ダイバーシチ又は空間多重）を示すために第２のシグナリングチャネルが使用される。
【００４２】
次に、移動局は、移動局カテゴリ（高速対低速）と基地局から送信されたモードインジケータ（ランク又はランク及びコードブックインデックス等）とに従って基地局から送信された下りリンクデータをデコードする（318）。
【００４３】
図４は、異なる実施例による処理のメッセージフロー図である。図３の手順とは異なり、図４の手順では、移動局の速度を測定するのは（基地局ではなく）移動局である。移動局は、下りリンク補助チャネル、下りリンクリファレンス又はパイロット信号、又は他の下りリンク送信のような下りリンク送信を監視することにより、移動局の速度を測定してもよい（402）。次に、移動局は、測定された速度に従って、移動局を高速又は低速の移動局として分類する（404）。次に、移動局は、高レイヤ（例えば、レベル3）のシグナリング等を使用することにより、移動局カテゴリを基地局に通知する（406）。
【００４４】
図４の残りのタスクは、図３に示すタスクと同じである（同じ参照符号が割り当てられている）。
【００４５】
移動局では、ランク1（例えば、SFBC）とランク2（例えば、SM）との間のランクアダプテーション（図３又は４のタスク310のMIMOモード選択の一部として実行される）は、以下の手順に依存してもよい。
・下りリンクリファレンス信号に基づいて、移動局の受信機は、チャネルを推定し、SFBC及びSMの双方の有効SINR（それぞれSINR(SFBC)及びSINR(SM)として示す）を計算する。
・SINR(SFBC)及びSINR(SM)に基づいて、移動局は、シャノンの公式を使用してSFBC能力とSM能力とを計算する。
C(SFBC)=log2(1+SINR(SFBC))
C(SM)=M(TX)・log2(1+SINR(SM))
ただし、M(TX)は送信アンテナの数である。
・２つの計算された能力の比較により、移動局はSFBCが使用されるかSMが使用されるかを以下に従って判定する。
C(SFBC)≧C(SM)の場合、SFBC送信（ランク1）
C(SFBC)<C(SM)の場合、SM送信（ランク2）
前述では、どのように移動局がランク1動作及びランク2動作のためにSINR値に基づいて計算されたパラメータを比較し、ランク1を選択するかランク2を選択するかを決定する例を提供している。
【００４６】
前述のように、図３又は４の手順では、314で実行される下りリンクデータ送信をスケジューリングする一部として、基地局は、以下のように移動局により行われたランク選択を上書きしてもよい。
・所定の監視時間ウィンドウで移動局によりフィードバックされたSFBCの判定数（N(SFBC)）をカウントする。
・所定の監視時間ウィンドウで移動局によりフィードバックされたSMの判定数（N(SM)）をカウントする。
・N(SFBC)≧N(SM)である場合、基地局はSFBCを選択し、そうでない場合、基地局はSMを選択する。
【００４７】
従って、ランク1を使用するかランク2を使用するかの基地局による選択は、所定の監視ウィンドウに移動局がランク1を選択した回数と、所定の監視ウィンドウに移動局がランク2を選択した回数との比較に基づく。基地局は、所定の監視ウィンドウに移動局が最も選択したランクを選択する。
【００４８】
或る実装では、基地局により選択されたランクが１より大きい場合、基地局は、大きい遅延の巡回遅延ダイバーシチ（CDD：cyclic  delay  diversity）を利用してもよい。巡回遅延ダイバーシチは、空間ダイバーシチを周波数ダイバーシチに変換し、シンボル間干渉を低減するダイバーシチ方式である。実施例による大きい遅延のCDDの動作について更に以下に説明する。
・２つのアンテナポートを有する送信機では、W(i)で示すデータリソースエレメントiのプリコーダは、ランク1及び2のコードワードを含むコードブックから選択される。このようなコードブックの例は、3GPP  TS36.211,  Version  8.30に記載されている。データリソースエレメントは、前述のリソースブロックの要素である。リソースブロックは、複数のリソースエレメントを含む。選択されたプリコーダは、コードワードW(i)を適用する。
・４つのアンテナポートを有する送信機では、移動局は、以下のように物理下りリンク共有チャネルの異なるデータリソースエレメントに異なるプリコーダを周期的に割り当てることを仮定してもよい。異なるプリコーダは、vのデータリソースエレメント毎に使用され、vは、空間多重の場合の送信レイヤの数を示す。特に、W(i)で示すデータリソースエレメントiのプリコーダは、W(i)=Ckに従って選択される。
ただし、kは、
【数１】
2011504308.tif 000003
により与えられるプリコーダインデックスであり、k=1,2,...4であり、C1,C2,C3,C4は４つのランクのエントリを含むコードブックからのコードワードである。このようなコードブックの例は、3GPP  TS36.211,  Version  8.30に記載されている。
【００４９】
或る実施例による技術を利用することにより、ランクアダプテーションは、高速の移動局にも可能になり、この場合、開ループ・マルチアンテナモードが選択される。所望のレベルの無線通信の信頼性を維持しつつ、システム容量が拡張可能になる。
【００５０】
このようなソフトウェアの命令は、プロセッサで実行される。プロセッサは、マイクロプロセッサ、マイクロコントローラ、モジュール若しくはサブシステム（１つ以上のマイクロプロセッサ又はマイクロコントローラを含む）、又は他の制御若しくは計算装置を含む。“プロセッサ”は、単一の構成要素を示してもよく、複数の構成要素を示してもよい。
【００５１】
データ及び（ソフトウェアの）命令は、各記憶装置に格納される。記憶装置は、１つ以上のコンピュータ可読又はコンピュータ使用可能記憶媒体として実装される。記憶媒体は、半導体メモリ装置（ダイナミック又はスタティックランダムアクセスメモリ（DRAM又はSRAM）、消去可能及びプログラム可能読取り専用メモリ（EPROM）、電気的消去可能及びプログラム可能読取り専用メモリ（EEPROM）、及びフラッシュメモリ等）、磁気ディスク（固定のフロッピー（登録商標）ディスク及び取り外し可能ディスク等）、テープを含む他の磁気媒体、光学媒体（コンパクトディスク（CD）又はデジタルビデオディスク（DVD）等）を含む異なる形式のメモリを含む。
【００５２】
前述の説明では、本発明の理解を提供するために複数の詳細が示されている。しかし、本発明は、これらの詳細なしに実施され得ることが、当業者によりわかる。限られた数の実施例に関して本発明を開示したが、当業者は、複数の変更及び変形を認識する。特許請求の範囲は、本発明の真の要旨及び範囲内に入るこのような変更及び変形をカバーすることを意図する。
【図１】
2011504308.tif 000004
【図２】
2011504308.tif 000005
【図３】
2011504308.tif 000006
【図４】
2011504308.tif 000007